(57)【要約】【課題】タッチパネルに表示される画像の向きと、表示部に表示される画像の向きとを対応づけることができ、また入力装置からの入力方向と、表示装置に表示させる情報の出力方向とを対応づけることができる携帯用電子機器を提供する。【解決手段】ユーザーの頭部に装着されて前記ユーザーが視認可能に画像を表示する表示部と、画像を表示すると共に、前記ユーザーがタッチすることで情報を入力可能なタッチパネルを備えた入力装置と、前記表示部及び前記タッチパネルの表示を制御する表示制御部と、を有し、前記表示制御部は、前記タッチパネルに表示される画像の向きを決定する画面制御と、前記タッチパネル上における前記ユーザーにより入力が行われる入力方向と、前記表示部上における表示された情報の出力方向とを対応づける入力制御とを設定可能となっており、ユーザーが入力した情報に応じて、前記表示制御部は、前記画面制御と前記入力制御のうち少なくとも一方を変更する。【選択図】図２
2019003364.tif 000002
【特許請求の範囲】
【請求項１】
ユーザーの頭部に装着されて前記ユーザーが視認可能に画像を表示する表示部と、
画像を表示すると共に、前記ユーザーがタッチすることで情報を入力可能なタッチパネルを備えた入力装置と、
前記表示部及び前記タッチパネルの表示を制御する表示制御部と、を有し、
前記表示制御部は、前記タッチパネルに表示される画像の向きを決定する画面制御と、前記タッチパネル上における前記ユーザーにより入力が行われる入力方向と、前記表示部上における表示された情報の出力方向とを対応づける入力制御とを設定可能となっており、ユーザーが入力した情報に応じて、前記表示制御部は、前記画面制御と前記入力制御のうち少なくとも一方を変更する携帯用電子機器。
【請求項２】
前記入力装置は、前記ユーザーが手で把持可能であると共に、前記ユーザーの身体に装着可能となっている請求項１に記載の携帯用電子機器。
【請求項３】
前記ユーザーが入力する情報は、前記表示制御部に記憶された複数のモードのいずれかの選択である請求項１又は２に記載の携帯用電子機器。
【請求項４】
前記ユーザーが入力する情報は、前記タッチパネルの表示を見た前記ユーザーが、前記タッチパネルを操作する方向である請求項１〜３のいずれかに記載の携帯用電子機器。
【請求項５】
前記入力制御において、前記入力方向の上下左右と、前記出力方向の上下左右が個別に対応づけられる請求項１〜４のいずれかに記載の携帯用電子機器。
【請求項６】
前記タッチパネルの姿勢を検出する検出装置を有し、前記表示制御装置は、前記検出装置の検出結果に応じて、前記画面制御を変更する請求項１〜５のいずれかに記載の携帯用電子機器。
【請求項７】
前記タッチパネルの姿勢を検出する検出装置を有し、前記表示制御装置は、前記検出装置の検出結果に応じて前記ユーザーが入力した情報が適切か否かを判断する請求項１〜６のいずれかに記載の携帯用電子機器。
【発明の詳細な説明】
【技術分野】
【０００１】
本発明は，入力した情報に応じてユーザーが情報を視認可能な携帯用電子機器に関する。
【背景技術】
【０００２】
近年、急速に発達してきたヘッドマウントディスプレイ（以下、ＨＭＤという）等の携帯端末は、ユーザーの頭部に装着されることでディスプレイがユーザーの眼前に来るため、ディスプレイを手で保持することなく，表示される情報をユーザーが視認することができる。
【０００３】
ところで、例えば汎用のスマートフォンやタブレットなどの携帯機器をＨＭＤに接続することにより、比較的高負荷がかかる画像処理等を行うＣＰＵやメモリ、更にはユーザーが入力できるインターフェースなどを携帯機器側に持たせることで、ＨＭＤの簡素化や軽量化を促進したいという要請がある。かかる場合、ユーザーからの情報入力を行うインターフェースとしては、携帯機器に設けられたタッチパネル等を用いることが好ましい。
【０００４】
しかるに、携帯機器をユーザーが正しく手に持って、例えば一方向にスクロールや頁送りなどの操作を行う場合、これに応じて切り変わるＨＭＤの表示は、ユーザーが視認するスクロールや頁送りの方向と一致するため、特に違和感を覚えることはない。これに対し、ユーザーの片方の手がふさがっているときなど、携帯機器をユーザーの身体に装着して用いたい場合もある。かかる場合、ユーザーが携帯機器のタッチパネルをブラインドタッチして、一方向にスクロールや頁送りなどの操作を行うと、これに応じて切り変わるＨＭＤの表示は、ユーザーが視認するスクロールや頁送りの方向と異なってしまい、ユーザーが混乱する恐れがある。又、携帯機器に表示される画像の向きが、ＨＭＤの表示に必ずしも合致しない場合もある。
【０００５】
これに対し特許文献１には、タッチパネル式装置のタッチセンサに対するユーザーによる接触開始位置からの接触変位量を検出する接触変位量算出部と、タッチパネル式装置の傾きの変化を検出する傾き変化算出部と、検出された操作開始位置からの接触変位量と、タッチパネル式装置の傾きの変化とに基づいて、表示領域に表示する仮想空間内の表示オブジェクトを表示制御する表示制御部と、を備えたヘッドマウントディスプレイシステムが開示されている。
【先行技術文献】
【特許文献】
【０００６】
【特許文献１】特開２０１６−１６７２１７号公報
【発明の概要】
【発明が解決しようとする課題】
【０００７】
ここで、特許文献１によれば，タッチパネル式装置の向きの情報を取得して、その向きの情報を２次元のタッチ入力情報に加えることができる。しかるに、かかる従来技術によれば、タッチパネル式装置の向きを入力情報に付加して入力情報を充実させることはできるが、ユーザーの入力方向と情報の表示方向とを一致させることはできない。
【０００８】
本発明は、上記の事情に鑑みてなされたものであって、タッチパネルに表示される画像の向きと、表示部に表示される画像の向きとを対応づけることができ、また入力装置からの入力方向と、表示装置に表示させる情報の出力方向とを対応づけることができる携帯用電子機器を提供することを目的とする。
【課題を解決するための手段】
【０００９】
本発明の携帯用電子機器は、
ユーザーの頭部に装着されて前記ユーザーが視認可能に画像を表示する表示部と、
画像を表示すると共に、前記ユーザーがタッチすることで情報を入力可能なタッチパネルを備えた入力装置と、
前記表示部及び前記タッチパネルの表示を制御する表示制御部と、を有し、
前記表示制御部は、前記タッチパネルに表示される画像の向きを決定する画面制御と、前記タッチパネル上における前記ユーザーにより入力が行われる入力方向と、前記表示部上における表示された情報の出力方向とを対応づける入力制御とを設定可能となっており、ユーザーが入力した情報に応じて、前記表示制御部は、前記画面制御と前記入力制御のうち少なくとも一方を変更するものである。
【発明の効果】
【００１０】
本発明によれば、タッチパネルに表示される画像の向きと、表示部に表示される画像の向きとを対応づけることができ、また入力装置からの入力方向と、表示装置に表示させる情報の出力方向とを対応づけることができる携帯用電子機器を提供することができる。
【図面の簡単な説明】
【００１１】
【図１】本実施の形態にかかる、携帯用電子機器を構成するＨＭＤ１００とスマートフォン２００の斜視図である。
【図２】本実施の形態にかかるＨＭＤ１００とスマートフォン２００のブロック図である。
【図３】本実施の形態にかかるスマートフォン２００を手で保持して入力を行う状態を示す図である。
【図４】本実施の形態にかかるスマートフォン２００を手で保持して入力を行う状態を示す図である。
【図５】本実施の形態にかかるスマートフォン２００を手で保持して入力を行う状態を示す図である。
【図６】本実施の形態にかかるスマートフォン２００を手で保持して入力を行う状態を示す図である。
【図７】本実施の形態にかかるスマートフォン２００を胸部に装着して入力を行う状態を示す図である。
【図８】本実施の形態にかかるスマートフォン２００を胸部に装着して入力を行う状態を示す図である。
【図９】本実施の形態にかかるスマートフォン２００を胸部に装着して入力を行う状態を示す図である。
【図１０】本実施の形態にかかるスマートフォン２００を胸部に装着して入力を行う状態を示す図である。
【図１１】本実施の形態にかかるスマートフォン２００を腰部に装着して入力を行う状態を示す図である。
【図１２】本実施の形態にかかるスマートフォン２００を腰部に装着して入力を行う状態を示す図である。
【図１３】本実施の形態にかかるスマートフォン２００を腰部に装着して入力を行う状態を示す図である。
【図１４】本実施の形態にかかるスマートフォン２００を腰部に装着して入力を行う状態を示す図である。
【図１５】変形例にかかるタッチパネル２０２の表示を示す図である。
【発明を実施するための形態】
【００１２】
以下に、本発明の実施形態を、図面を参照して説明する。図１は、本実施の形態にかかる、携帯用電子機器を構成するＨＭＤ１００とスマートフォン２００の斜視図である。図２は、本実施の形態にかかるＨＭＤ１００とスマートフォン２００のブロック図である。
【００１３】
図１に示すように、ＨＭＤ１００はフレーム１０１を有している。上方から見てコ字状であるフレーム１０１は、前方の一端側下部に矩形枠１０２を取り付け、その上部に本体部１０３を取り付けている。画像形成部を内包した本体部１０３は、配線ＣＤによりスマートフォン２００に接続されており、スマートフォン２００に内蔵された不図示の電池から給電されている。フレーム１０１をユーザーの頭部に装着した状態で、ユーザーの右目の前に矩形枠１０２が配置される。矩形枠１０２内には、スルー表示が可能な画像表示部１０４が配置されている。
【００１４】
図２において、スマートフォン２００は、制御部（表示制御部）２０１と、制御部２０１からの駆動信号を受信して画像表示を行うと共に、ユーザーがタッチすることで情報を入力可能なタッチパネル（入力装置）２０２と、重力加速度方向に対してスマートフォン２００の姿勢を検出できるジャイロセンサ２０３とを有し、これらは不図示の内蔵した電池により給電されて動作するようになっている。尚、図１において、配線ＣＤが接続された側（三角マークが付された側）を便宜上スマートフォン２００における北側とし、それに対向する側を南側とし、タッチパネル２０２に正対した状態で、スマートフォン２００の左側を西側とし、その右側を東側とする。
【００１５】
又、制御部２０１は、配線ＣＤを介して表示制御信号を、ＨＭＤ１００の画像表示部１０４に送信可能となっている。尚、スマートフォン２００の代わりに、タブレットなどを用いても良い。又、ＨＭＤ１００とスマートフォン２００との接続は、有線に限られず、Ｂｌｕｅｔｏｏｔｈ（登録商標）やＩｒＤＡなどの無線手段を用いても良い。更に制御部２０１は、詳細は後述する複数のモードを内部メモリに記憶して、タッチパネル２０２の入力操作によりいずれかのモードを設定可能となっているものとする。尚、「情報の入力の方向」とは、例えばスワイプやフリック動作などタッチパネル２０２上を指等の物体が移動することにより入力を行う場合において、その物体が移動する方向をいい、「情報の出力の方向」とは、例えば頁送りやスクロールなど画像表示部１０４で行われる表示の変化する方向をいうものとする。又、画像表示部１０４の「左側」又は「右側」とは、ＨＭＤを装着したユーザーから見て「左側」又は「右側」とする。
【００１６】
次に、本実施の形態の動作について説明する。図３は、本実施の形態にかかるスマートフォン２００を用いて入力を行う状態を示す図である。図示していないが、タッチパネル２０２に表示される画像は、画像表示部１０４に表示される画像と原則的に同一なものとするが、細部が異なっていても良い。タッチパネル２０２に表示される画像の向きを設定することを画面制御といい、タッチパネル２０２上におけるユーザーにより入力が行われる入力方向と、前記表示部上における表示された情報の出力方向とを個別に対応づけることを入力制御という。
【００１７】
まず、図３に示すように、ユーザーの左手ＬＨＤでスマートフォン２００を長手方向横向きに把持し、右手ＲＨＤでタッチパネル２０２を操作する場合を考える。このとき、配線ＣＤがユーザーから見て左手側にあるような姿勢を基準状態とする。ユーザーからの操作が特に行われない場合、制御部２０１は基準状態であると判断して、第１１モードをデフォルト設定する。
【００１８】
第１１モードが設定されたとき、制御部２０１は、タッチパネル２０２に表示される画像の向きが、東側を上方にするように画面制御を設定する。これにより、ユーザーが見ているタッチパネル２０２の画像の向きと、画像表示部１０４の画像の向きとが一致することとなる。
【００１９】
更に制御部２０１は、入力制御として、スマートフォン２００における東側が、画像表示部１０４の上側に対応し、その西側が画像表示部１０４の下側に対応し、その北側が画像表示部１０４の左側に対応し、その南側が画像表示部１０４の右側に対応するように設定する。
【００２０】
第１１モードが設定されている場合、例えば頁送りやスクロールが可能な画面が画像表示部１０４とタッチパネル２０２に表示された状態で、ユーザーが右手ＲＨＤの指を使ってタッチパネル２０２において西側から東側にフリック又はスワイプ動作を実行すると、対応する信号がタッチパネル２０２から制御部２０１に送信され、制御部２０１は画像表示部１０４に画像制御信号を送信することで、表示された画面を下側から上側に頁送りやスクロールを行うことができる。
【００２１】
同様に、例えばユーザーが右手ＲＨＤの指を使ってタッチパネル２０２において北側から南側にフリック又はスワイプ動作を実行すると、対応する信号がタッチパネル２０２から制御部２０１に送信され、制御部２０１は画像表示部１０４に画像制御信号を送信することで、表示された画面で左側から右側に頁送りやスクロールを行うことができる。これにより、ユーザーは自身の行った入力の方向が、現在視認している画像表示部１０４の画面の出力の方向に合致するため、違和感を覚えることがない。
【００２２】
次に、図４に示すように、ユーザーの左手ＬＨＤでスマートフォン２００を長手方向横向きに把持するが、配線ＣＤがユーザーから見て右手側にあるような姿勢を考える。このとき、ユーザーの選択操作により、制御部２０１は第１２モードを設定する。図示していないが、かかる選択は、例えばタッチパネル２０２に表示された複数のモードの選択肢から１つをタップすることで行うことができる。
【００２３】
第１２モードが設定されたとき、制御部２０１は、タッチパネル２０２に表示される画像の向きが、西側を上方にするように画面制御を設定する。これにより、ユーザーが見ているタッチパネル２０２の画像の向きと、画像表示部１０４の画像の向きとが一致することとなる。
【００２４】
更に制御部２０１は、入力制御として、スマートフォン２００における西側が、画像表示部１０４の上側に対応し、その東側が画像表示部１０４の下側に対応し、その南側が画像表示部１０４の左側に対応し、その北側が画像表示部１０４の右側に対応するように設定する。これにより、ユーザーは自身の行った入力の方向が、現在視認している画像表示部１０４の画面の出力の方向に合致するため、違和感を覚えることがない。
【００２５】
次に、図５に示すように、ユーザーの左手ＬＨＤでスマートフォン２００を長手方向縦向きに把持するが、配線ＣＤがユーザーから見て上側にあるような姿勢を考える。このとき、ユーザーの選択操作により、制御部２０１は第１３モードを設定する。
【００２６】
第１３モードが設定されたとき、制御部２０１は、タッチパネル２０２に表示される画像の向きが、北側を上方にするように画面制御を設定する。これにより、ユーザーが見ているタッチパネル２０２の画像の向きと、画像表示部１０４の画像の向きとが一致することとなる。
【００２７】
更に制御部２０１は、入力制御として、スマートフォン２００における北側が、画像表示部１０４の上側に対応し、その南側が画像表示部１０４の下側に対応し、その西側が画像表示部１０４の左側に対応し、その東側が画像表示部１０４の右側に対応するように設定する。これにより、ユーザーは自身の行った入力の方向が、現在視認している画像表示部１０４の画面の出力の方向に合致するため、違和感を覚えることがない。
【００２８】
次に、図６に示すように、ユーザーの左手ＬＨＤでスマートフォン２００を長手方向縦向きに把持するが、配線ＣＤがユーザーから見て下側にあるような姿勢を考える。このとき、ユーザーの選択操作により、制御部２０１は第１４モードを設定する。
【００２９】
第１４モードが設定されたとき、制御部２０１は、タッチパネル２０２に表示される画像の向きが、南側を上方にするように画面制御を設定する。これにより、ユーザーが見ているタッチパネル２０２の画像の向きと、画像表示部１０４の画像の向きとが一致することとなる。
【００３０】
更に制御部２０１は、入力制御として、スマートフォン２００における南側が、画像表示部１０４の上側に対応し、その北側が画像表示部１０４の下側に対応し、その東側が画像表示部１０４の左側に対応し、その西側が画像表示部１０４の右側に対応するように設定する。これにより、ユーザーは自身の行った入力の方向が、現在視認している画像表示部１０４の画面の出力の方向に合致するため、違和感を覚えることがない。
【００３１】
以上述べた第１１モード〜第１４モードの設定は、例えば検出装置であるジャイロセンサ２０３からの信号に基づいて、制御部２０１が、画像表示部１０４の上側に対応するスマートフォン２００の向き（東西南北のいずれか）を判定して自動的に設定しても良い。或いは、ジャイロセンサ２０３からの信号に基づいて、制御部２０１は、ユーザーが設定したモードが適切か否か判断しても良い。モードが不適切と判断した場合、制御部２０１は、設定されたモードをキャンセルすることができる。
【００３２】
次に、図７に示すように、ユーザーＵＳの胸部にスマートフォン２００を長手方向横向きに装着し、右手ＲＨＤでタッチパネル２０２を操作する場合を考える。このとき、配線ＣＤがユーザーから見て左手側にあるような姿勢となるから、ユーザーからの選択操作により、制御部２０１は第２１モードを設定する。
【００３３】
第２１モードが設定されたとき、制御部２０１は、タッチパネル２０２に表示される画像の向きが、西側を上方にするように画面制御を設定する。これにより、タッチパネル２０２の画像の向きと、画像表示部１０４の画像の向きとが一致することとなる。
【００３４】
更に制御部２０１は、入力制御として、スマートフォン２００における西側が、画像表示部１０４の上側に対応し、その東側が画像表示部１０４の下側に対応し、その北側が画像表示部１０４の左側に対応し、その南側が画像表示部１０４の右側に対応するように設定する。これにより、ユーザーは自身の行った入力の方向が、現在視認している画像表示部１０４の画面の出力の方向に合致するため、違和感を覚えることがない。
【００３５】
次に、図８に示すように、ユーザーＵＳの胸部にスマートフォン２００を長手方向横向きに装着するが、配線ＣＤがユーザーから見て右手側にあるような姿勢を考える。このとき、ユーザーからの選択操作により、制御部２０１は第２２モードを設定する。
【００３６】
第２２モードが設定されたとき、制御部２０１は、タッチパネル２０２に表示される画像の向きが、東側を上方にするように画面制御を設定する。これにより、タッチパネル２０２の画像の向きと、画像表示部１０４の画像の向きとが一致することとなる。
【００３７】
更に制御部２０１は、入力制御として、スマートフォン２００における東側が、画像表示部１０４の上側に対応し、その西側が画像表示部１０４の下側に対応し、その南側が画像表示部１０４の左側に対応し、その北側が画像表示部１０４の右側に対応するように設定する。これにより、ユーザーは自身の行った入力の方向が、現在視認している画像表示部１０４の画面の出力の方向に合致するため、違和感を覚えることがない。
【００３８】
次に、図９に示すように、ユーザーＵＳの胸部にスマートフォン２００を長手方向縦向きに装着するが、配線ＣＤがユーザーから見て上側にあるような姿勢を考える。このとき、ユーザーからの選択操作により、制御部２０１は第２３モードを設定する。
【００３９】
第２３モードが設定されたとき、制御部２０１は、タッチパネル２０２に表示される画像の向きが、北側を上方にするように画面制御を設定する。これにより、タッチパネル２０２の画像の向きと、画像表示部１０４の画像の向きとが一致することとなる。
【００４０】
更に制御部２０１は、入力制御として、スマートフォン２００における北側が、画像表示部１０４の上側に対応し、その南側が画像表示部１０４の下側に対応し、その東側が画像表示部１０４の左側に対応し、その西側が画像表示部１０４の右側に対応するように設定する。これにより、ユーザーは自身の行った入力の方向が、現在視認している画像表示部１０４の画面の出力の方向に合致するため、違和感を覚えることがない。
【００４１】
次に、図１０に示すように、ユーザーＵＳの胸部にスマートフォン２００を長手方向縦向きに装着するが、配線ＣＤがユーザーから見て下側にあるような姿勢を考える。このとき、ユーザーからの選択操作により、制御部２０１は第２４モードを設定する。
【００４２】
第２４モードが設定されたとき、制御部２０１は、タッチパネル２０２に表示される画像の向きが、南側を上方にするように画面制御を設定する。これにより、タッチパネル２０２の画像の向きと、画像表示部１０４の画像の向きとが一致することとなる。
【００４３】
更に制御部２０１は、入力制御として、スマートフォン２００における南側が、画像表示部１０４の上側に対応し、その北側が画像表示部１０４の下側に対応し、その西側が画像表示部１０４の左側に対応し、その東側が画像表示部１０４の右側に対応するように設定する。これにより、ユーザーは自身の行った入力の方向が、現在視認している画像表示部１０４の画面の出力の方向に合致するため、違和感を覚えることがない。
【００４４】
尚、第２１モード〜第２４モード設定時に、ユーザーＵＳはタッチパネル２０２の表示を視認することができない。そこで、制御部２０１は、第２１モード〜第２４モード設定時に、タッチパネル２０２の表示を固定（例えば東側を画像の情報とする）しても良いし、表示を中断しても良い。
【００４５】
次に、図１１に示すように、ユーザーＵＳの腰部にスマートフォン２００を長手方向横向きに装着し、右手ＲＨＤでタッチパネル２０２を操作する場合を考える。このとき、配線ＣＤがユーザーから見て左手側にあるような姿勢となるから、ユーザーからの選択操作により、制御部２０１は第３１モードを設定する。
【００４６】
第３１モードが設定されたとき、制御部２０１は、タッチパネル２０２に表示される画像の向きが、東側を上方にするように画面制御を設定する。つまり、ユーザーＵＳに対面する側から見ると、タッチパネル２０２に表示された画像は天地が逆となっている。これは、ユーザーＵＳが例えば軽く腰を曲げることで、腰部に装着されたスマートフォン２００のタッチパネル２０２を視認できることから、視認する際にユーザーＵＳの頭頂が、表示された画像の上側になっていると違和感を覚えにくいためである。言い換えると、ユーザーＵＳが視認できるタッチパネル２０２の画像の向きと、画像表示部１０４の画像の向きとが一致することとなる。
【００４７】
更に制御部２０１は、入力制御として、スマートフォン２００における西側が、画像表示部１０４の上側に対応し、その東側が画像表示部１０４の下側に対応し、その北側が画像表示部１０４の左側に対応し、その南側が画像表示部１０４の右側に対応するように設定する。これにより、ユーザーは自身の行った入力の方向が、現在視認している画像表示部１０４の画面の出力の方向に合致するため、違和感を覚えることがない。
【００４８】
次に、図１２に示すように、ユーザーＵＳの腰部にスマートフォン２００を長手方向横向きに装着するが、配線ＣＤがユーザーから見て右手側にあるような姿勢を考える。このとき、ユーザーからの選択操作により、制御部２０１は第３２モードを設定する。
【００４９】
第３２モードが設定されたとき、制御部２０１は、タッチパネル２０２に表示される画像の向きが、西側を上方にするように画面制御を設定する。これにより、ユーザーＵＳが視認できるタッチパネル２０２の画像の向きと、画像表示部１０４の画像の向きとが一致することとなる。
【００５０】
更に制御部２０１は、入力制御として、スマートフォン２００における東側が、画像表示部１０４の上側に対応し、その西側が画像表示部１０４の下側に対応し、その南側が画像表示部１０４の左側に対応し、その北側が画像表示部１０４の右側に対応するように設定する。これにより、ユーザーは自身の行った入力の方向が、現在視認している画像表示部１０４の画面の出力の方向に合致するため、違和感を覚えることがない。
【００５１】
次に、図１３に示すように、ユーザーＵＳの腰部にスマートフォン２００を長手方向縦向きに装着するが、配線ＣＤがユーザーから見て上側にあるような姿勢を考える。このとき、ユーザーからの選択操作により、制御部２０１は第３３モードを設定する。
【００５２】
第３３モードが設定されたとき、制御部２０１は、タッチパネル２０２に表示される画像の向きが、南側を上方にするように画面制御を設定する。これにより、ユーザーＵＳが視認できるタッチパネル２０２の画像の向きと、画像表示部１０４の画像の向きとが一致することとなる。
【００５３】
更に制御部２０１は、入力制御として、スマートフォン２００における北側が、画像表示部１０４の上側に対応し、その南側が画像表示部１０４の下側に対応し、その東側が画像表示部１０４の左側に対応し、その西側が画像表示部１０４の右側に対応するように設定する。これにより、ユーザーは自身の行った入力の方向が、現在視認している画像表示部１０４の画面の出力の方向に合致するため、違和感を覚えることがない。
【００５４】
次に、図１４に示すように、ユーザーＵＳの腰部にスマートフォン２００を長手方向縦向きに装着するが、配線ＣＤがユーザーから見て下側にあるような姿勢を考える。このとき、ユーザーからの選択操作により、制御部２０１は第３４モードを設定する。
【００５５】
第３４モードが設定されたとき、制御部２０１は、タッチパネル２０２に表示される画像の向きが、北側を上方にするように画面制御を設定する。これにより、ユーザーＵＳが視認できるタッチパネル２０２の画像の向きと、画像表示部１０４の画像の向きとが一致することとなる。
【００５６】
更に制御部２０１は、入力制御として、スマートフォン２００における南側が、画像表示部１０４の上側に対応し、その北側が画像表示部１０４の下側に対応し、その西側が画像表示部１０４の左側に対応し、その東側が画像表示部１０４の右側に対応するように設定する。これにより、ユーザーは自身の行った入力の方向が、現在視認している画像表示部１０４の画面の出力の方向に合致するため、違和感を覚えることがない。
【００５７】
以上述べた第３１モード〜第３４モードの設定は、例えば検出装置であるジャイロセンサ２０３からの信号に基づいて、制御部２０１が、画像表示部１０４の上側に対応するスマートフォン２００の向き（東西南北のいずれか）を判定して自動的に設定しても良い。或いは、ジャイロセンサ２０３からの信号に基づいて、制御部２０１は、ユーザーが設定したモードが適切か否か判断しても良い。この場合、重力加速度方向下側が、タッチパネル２０２に表示される画像の上側となれば、設定されたモードが適切と判断する。モードが不適切と判断した場合、制御部２０１は、設定されたモードをキャンセルすることができる。
【００５８】
図１５は、本実施の形態の変形例にかかるタッチパネル２０２の表示例を示す図である。上述した実施の形態では、ユーザーの選択により，制御部２０１がいずれかのモード設定を行っていた。しかしながら、選択肢が増えるにつれ、ユーザーの操作が煩雑となる恐れがある。かかる変形例によれば、より単純な操作で入力方向設定が可能になる。
【００５９】
例えば、制御部２０１は、起動時に又は任意のタイミングで、タッチパネル２０２の入力方向設定を行うかをユーザーに問いかけることができる。この問いかけにユーザーが肯定で応じたときは、制御部２０１はキャリブレーションモードを開始し、画像表示部１０４に図１５に示す表示を行わせる。具体的には、まず図１５（ａ）に示すような上へのスワイプ動作を促す表示が行われた時、ユーザーがタッチパネル２０２上で上方向に向かってスワイプ動作を行うと、制御部２０１は、その方向を画像表示部１０４の表示における上方向と対応づけて認識し、次に図１５（ｂ）の表示に切り替える。
【００６０】
更に図１５（ｂ）に示すような右へのスワイプ動作を促す表示が行われた時、ユーザーは、タッチパネル２０２上で右方向に向かってスワイプ動作を行うと、制御部２０１は、その方向を画像表示部１０４の表示における右方向と対応づけて認識する。以上の認識に基づいて、制御部２０１は入力制御を設定できる。尚、同様な手順によりタッチパネルの画面制御を行っても良い。
【符号の説明】
【００６１】
１００            ＨＭＤ
１０１            フレーム
１０２            矩形枠
１０３            本体部
１０４            画像表示部
２００            スマートフォン
２０１            制御部
２０２            タッチパネル
２０３            ジャイロセンサ
ＣＤ            配線
ＬＨＤ            左手
ＲＨＤ            右手
ＵＳ            ユーザー
【図１】
2019003364.tif 000003
【図２】
2019003364.tif 000004
【図３】
2019003364.tif 000005
【図４】
2019003364.tif 000006
【図５】
2019003364.tif 000007
【図６】
2019003364.tif 000008
【図７】
2019003364.tif 000009
【図８】
2019003364.tif 000010
【図９】
2019003364.tif 000011
【図１０】
2019003364.tif 000012
【図１１】
2019003364.tif 000013
【図１２】
2019003364.tif 000014
【図１３】
2019003364.tif 000015
【図１４】
2019003364.tif 000016
【図１５】
2019003364.tif 000017